(57)【要約】【課題】  洗い性能に優れた洗い用手袋の提供。【解決手段】本発明の洗い用手袋は、網生地で形成された手袋の内側の所要箇所にスポンジを配設したことを特徴とするもので、親指を除く四本指が並べて挿入できる袋部を備えた形状の手袋、親指を挿入できる袋部と前記親指を除く四本指を並べて挿入できると共に掌まで挿入できる袋部とを備えた形状の手袋、親指を挿入できる袋部と前記親指を除く四本指が各別に挿入できると共に掌まで挿入できる袋部とを備えた形状の手袋であることを特徴とする。又、これ等の手袋の内部に、当該各手袋と同形状の防水性内手袋を設けたことを特徴とする。【選択図】図５
2006223669.tif 000002
【特許請求の範囲】
【請求項１】
網生地で形成された手袋の内側の所要箇所にスポンジを配設したことを特徴とする洗い用手袋。
【請求項２】
手袋は、親指を除く四本指が並べて挿入できる袋部を備えた形状であることを特徴とする請求項１に記載の洗い用手袋。
【請求項３】
手袋は、親指を挿入できる袋部と前記親指を除く四本指を並べて挿入できると共に掌まで挿入できる袋部とを備えた形状であることを特徴とする請求項１に記載の洗い用手袋。
【請求項４】
手袋は、親指を挿入できる袋部と前記親指を除く四本指が各別に挿入できると共に掌まで挿入できる袋部とを備えた形状であることを特徴とする請求項１に記載の洗い用手袋。
【請求項５】
手袋は、左右何れの手にも装着できる平面形状であって、両面側の各々所要箇所にスポンジが配設されたことを特徴とする請求項１乃至請求項４の何れかに記載の洗い用手袋。
【請求項６】
手袋の内部には当該手袋と同形状の防水性内手袋を設けたことを特徴とする請求項１乃至請求項５の何れかに記載の洗い用手袋。
【請求項７】
防水性内手袋はゴム製又は合成樹脂製であることを特徴とする請求項６の洗い用手袋。
【発明の詳細な説明】
【技術分野】
【０００１】
本発明は、食器洗いや洗車或いは掃除掛け等、広い意味での「洗い」にも用いる手袋に関し、詳しくは、スポンジやタワシ或いは拭き布（例えば雑巾）等を手に持つことなく、手に嵌めるだけで洗い仕事を行うことができる手袋に関するものである。
【背景技術】
【０００２】
従来、例えば台所での食器洗いでは、洗剤を含ませたスポンジを一方の手で掴んだ状態で、他方の手に持った食器に擦り付けて、食器を洗っていた。
【０００３】
このような状態での洗い用作業では、食器を片手で保持しなければならず、
食器が不安定な状態で保持されるため、食器を取り落として破損させることが少なくなく、取り落とさないようにするため不自然な力を込めるため疲労が増す、等の不都合があった。
【発明の開示】
【発明が解決しようとする課題】
【０００４】
本発明は、上記のような不都合の解決を目的としてなされたもので、両手で食器を安全に保持した状態にて、食器表面を手で撫で回すだけで洗い仕事を行うことができる洗い用手袋の提供を目的とする。
【課題を解決するための手段】
【０００５】
請求項１の洗い用手袋の発明は、網生地で形成された手袋の内側の所要箇所にスポンジを配設したことを特徴とする。
【０００６】
請求項２の発明は、請求項１に記載の洗い用手袋において、手袋は、親指を除く四本指が並べて挿入できる袋部を備えた形状であることを特徴とする。
【０００７】
請求項３の発明は、請求項１に記載の洗い用手袋において、手袋は親指を挿入できる袋部と前記親指を除く四本指を並べて挿入できると共に掌まで挿入できる袋部とを備えた形状であることを特徴とする。
【０００８】
請求項４の発明は、請求項１に記載の洗い用手袋において、手袋は親指を挿入できる袋部と前記親指を除く四本指が各別に挿入できると共に掌まで挿入できる袋部とを備えた形状であることを特徴とする。
【０００９】
請求項５の発明は、請求項１乃至請求項４の何れかに記載の洗い用手袋において、手袋は左右何れの手にも装着できる平面形状であって、両面側の各々所要箇所にスポンジが配設されたことを特徴とする。
【００１０】
請求項６の発明は、請求項１乃至請求項５の何れかに記載の洗い用手袋において、手袋の内部には当該手袋と同形状の防水性内手袋を設けたことを特徴とする。
【００１１】
請求項７の発明は、請求項６の洗い用手袋において、防水性内手袋はゴム製又は合成樹脂製であることを特徴とする。
【発明の効果】
【００１２】
請求項1乃至７の発明によれば、食器等の洗い物を両手で安全に保持することができる。
又、両手で保持したまま洗い物の表面を撫で回わしたり、擦り回したりするだけで、従来に較べて容易に洗い仕事をすることができる。
又、効率よく洗い仕事ができるので、従来に較べて疲労度を大幅に軽減させることができる。
又、網生地による擦り落とし効果とスポンジによる拭き効果とを同時に発揮することができる。
【発明を実施するための最良の形態】
【００１３】
以下、本発明を、食器洗い仕事用の洗い用手袋を例にして説明する。
【実施例１】
【００１４】
実施例１は、網生地で形成された手袋の内側の所要箇所にスポンジを配設した洗い用手袋の例として、手袋を、親指を除く四本指が並べて挿入できる袋部を備えた形状としたものである。これを図1及び図２に基づいて説明する。
図１は掌側から見た平面図、図２は図１のＡ−Ａ線縦断端面図である。
【００１５】
図1及び図2において、この洗い用手袋１０は、少なくとも、網生地1の素材を用いて、親指を除く片手の四本指が並べて挿入できる略長方形状の袋部２を形成し、この袋部２の両面即ち掌側と手の甲側とに各々平板状のスポンジ３を網生地１に挟んで封入した構成としたものである。従って、親指はこの手袋１０の外となる。
【００１６】
手袋１０は、親指を除く四本指の背側（甲皮側）と四本指の腹側（掌皮側）とを相対して合致する形状となして、周縁を縫合したものであって、背側（甲皮側）及び四本指の腹側（掌皮側）とも各々網生地１を二枚重ね構造としたものであって、所要箇所に封入されるスポンジ３は、この二枚重ねの網生地１の間に挿入され、当該スポンジ３が横移動しないように当該スポンジ３周縁の二枚重ねの網生地１が縫合されている。
【００１７】
網生地１は、1本の糸よりも、できるだけ多い複数本の糸で編んだ網が好ましく、しかも、編み目の結束部分が大きく、且つ、結束部分の数が多い程好ましい。このような網生地１を用いることによって、食器の表面の付着物を効果的に擦り落とすことができる。
しかも、この二枚重ねの網生地１は、二枚重ねの外側の一枚がスポンジ３の表面を覆う形となるので、上記のように、比較的硬質の網生地１と比較的柔らかいスポンジ３とが同時的に洗物の表面に作用するので、網生地１による擦り落とし効果とスポンジ３による液状付着物等に対する拭き効果とを同時に発揮することができる。
【００１８】
この実施例１では、図２に示すように、袋部２の両面にスポンジ３を配設してあるが、何れか一方、例えば、掌側にのみスポンジ３を設けても良い。
そして、手袋１０を左右兼用可能に、例えば、手袋１０自体を平面的に形成し、用途に応じて、例えば、擦り落としを主とする場合にはスポンジ３のない方の面即ち網生地１のみの面（甲側）を用い、液状の汚れ等比較的柔らかい付着物を落とすことを主とする場合にはスポンジ３の面側（掌側）を用いる事で、一物で二用途の機能を発揮させることができる。
【００１９】
他方、この実施例１では、両面にスポンジ３を配設しているので、一物で二用途の機能こそ発揮できないが、両面を交互に或いは一面を使い切った後に他面を使用することにより、片面のみに配設している場合に較べ、スポンジ３使用の洗い寿命を約２倍に延ばすことができる。
【００２０】
尚、網生地１は当然のことながら、耐水性及び耐洗剤性を備えた素材、例えば合成樹脂製の繊維を用いることが好ましい。
又、スポンジの素材は特に問わず、一般市場に流通している素材のスポンジを用いればよい。
【実施例２】
【００２１】
実施例２は、網生地で形成された手袋の内側の所要箇所にスポンジを配設した洗い用手袋の例として、手袋を、親指を挿入できる袋部と前記親指を除く四本指を並べて挿入できると共に掌まで挿入できる袋部とを備えた形状としたものである。これを図３に基づいて説明する。図３は掌側から見た平面図である。
【００２２】
図３において、この洗い用手袋２０は、少なくとも、上記実施例１と同様の網生地1の素材を用いて同様の二枚重ね構造にて構成されており、親指を除く片手の四本指が並べて挿入できる略長方形状の袋部２２が形成され、この袋部２２の掌側の四本指部４２から掌部５５に渡って連続する平板状のスポンジ３２４を二枚重ねの網生地１に挟んで封入すると共に、親指の爪側とは反対側の指腹部６２側に平板状のスポンジ３２６を同様に二枚重ねの網生地１に挟んで封入した構成としたものである。従って、親指はこの手袋２０の親指の袋部２２６に納まる。
【００２３】
親指側のスポンジ３２６と掌部側のスポンジ３２４とを連続させて形成してもよいが、この実施例２のように分離して配設する方が、親指の運動性能を高めることができ、洗い仕事を効率的に行うことができる。
【実施例３】
【００２４】
実施例３は、網生地で形成された手袋の内側の所要箇所にスポンジを配設した洗い用手袋の例として、手袋３０を、親指を挿入できる袋部３３６と前記親指を除く四本指を並べて挿入できると共に掌まで挿入できる袋部３４５とを備えた形状としたものである。これを図４に基づいて説明する。図４は掌側から見た平面図である。
【００２５】
図４において、この洗い用手袋３０は、上記実施例１と同様の網生地1の素材を用いて同様の二枚重ね構造にて構成されており、親指及び四本指が各々格別に挿入できる所謂手形状の袋部２３が形成され、この袋部２３の掌側の四本指部４２及び掌部５５に渡って連続する平板状のスポンジ３３４を二枚重ねの網生地１に挟んで封入した構成としたものである。
従って、この手袋３０は一般的な五本指の手袋形で、親指及び四本指が格別に袋部２３の各指袋部に納まる。尚、その他の構成は実施例１と同様である。
【００２６】
この実施例３のように、手袋３０を、親指を挿入できる袋部とこの親指を除く四本指が各別に挿入できると共に掌まで挿入できる袋部とを備えた形状とすることによって、掌側の全て、即ち各指の腹部及び掌部にて、洗物の表面を撫で回すことができ、上記実施例１乃至３に較べて洗い仕事をより効率的に行うことができる。
【実施例４】
【００２７】
実施例４は、図５の掌側から見た平面図に示すように、上記実施例３において、親指を除く四本指の活動を容易化させるため、四本指の付根部分と掌部との間に、スポンジ３の無い無スポンジ帯部を形成したものである。
【００２８】
この実施例４の図５には示していないが、更に親指の活動をも容易化させるため、親指の腹部と掌部との間にも無スポンジ帯部（図示せず）を更に設けても良い。
【実施例５】
【００２９】
実施例５の手袋５０は、上記実施例２乃至４の図３乃至図５の想像線で示すように、手袋２０，３０，４０の内部に、当該各手袋２０，３０，４０と同形状の防水性を備えた内手袋（防水性内手袋）７を設けた構成としたものである。
防水性内手袋７としては例えば市販されているようなゴム製又は合成樹脂製のものを用いればよい。
又、防水性内手袋７の形状は、各手袋２０，３０，４０の形状と一致させる必要はなく、例えば、実施例２の手袋２０に５本指形の内手袋７を内設させても良い。
【００３０】
このような防水性内手袋７を内設することによって、市販のゴム製又は合成樹脂製の手袋と同様に、水や洗剤による指や手荒れ等を防止することができる。
【００３１】
上記実施例１乃至５で説明した手袋１０，２０，３０，４０は、何れも、左右何れの手にも装着できる平面形状とすることができるし、平面形状とした上で、掌側が甲側の両面の各々に、或いは何れか一方の面の所要箇所にスポンジ３を配設しても良い。
【００３２】
このような平面形とすれば、上記実施例１で述べたように、両面にスポンジ３を配設すれば、一物で二用途の機能を発揮することができると共に、一方の面（片面）のみにスポンジ３を設ける場合に較べ、両面を交互に使用することにより、スポンジ３使用の洗い寿命を約２倍に延ばすことができる。
【産業上の利用可能性】
【００３３】
上記実施例では食器洗いに用いる洗い用手袋について説明したが、本発明に係る洗い用手袋はこれに限らず、洗車やその他の拭き掃除等において、広く用いることができる。
【図面の簡単な説明】
【００３４】
【図１】実施例１の洗い用手袋の平面図である。
【図２】図１のＡ−Ａ線縦断端面図である。
【図３】実施例２の洗い用手袋の平面図である。
【図４】実施例３の洗い用手袋の平面図である。
【図５】実施例４の洗い用手袋の平面図である。
【符号の説明】
【００３５】
１  網生地
２  袋部
３  スポンジ
７  内手袋（防水性内手袋）
８  無スポンジ帯部
１０  洗い用手袋
２０  洗い用手袋
２３  袋部
３０  洗い用手袋
４０  洗い用手袋
４２  四本指部
５５  掌部
６２  指腹部
３２４  スポンジ
３２６  スポンジ
【図１】
2006223669.tif 000003
【図２】
2006223669.tif 000004
【図３】
2006223669.tif 000005
【図４】
2006223669.tif 000006
【図５】
2006223669.tif 000007